(57)【特許請求の範囲】
【請求項１】
一側にボタン(１１)が形成された外容器(１０)と、前記外容器(１０)の一側にヒンジ結合されて開閉される外容器の蓋(２０)からなるマイクロポンプ容器において、
前記外容器(１０)の内側に装着される内容器(３０)と；
前記内容器(３０)の上部に結合され、中央に化粧料吸入孔(４１)が形成された内容器の蓋(４０)と；
前記内容器の蓋(４０)の上部に取り付けられて化粧品の内容物をポンピングするマイクロポンプ(５０)と；
前記マイクロポンプ(５０)を挟んで前記内容器の蓋(４０)の上面に挿入して安着され、前記マイクロポンプ(５０)から排出される化粧品の内容物を上面に排出して収容させる円板状の排出板(６０)と；
前記排出板(６０)の上面の中央溝(６１)に安着されて上面に放射状溝(７１)が形成された円板形部材(７０)と；
前記排出板(６０)の上面全体をカバーするようになった円板状のフィルムとして、前記円板形部材(７０)の放射状溝(７１)と一致するように複数個形成された化粧料吐出孔(８１)を有する排出フィルム(８０)と；
前記排出フィルム(８０)の縁を前記排出板(６０)に固定し、使用者がパフ(Ｐ)で接触できるように上部が外部へ露出された環状固定部材(９０)と；
前記内容器(３０)の蓋(４０)の下面に挿入される円板状の部材として、前記内容器の蓋(４０)の内周縁に密着されて前記外容器(１０)内の化粧品の内容物を下部に押し出す第１ピストン(１００)と；
前記第１ピストン(１００)の下部に挿入されて前記外容器(１０)内の化粧品の内容物を下部に押し出して消尽させる第２ピストン(１１０)とを含むことを特徴とするマイクロポンプ容器。
【請求項２】
前記内容器の蓋(４０)の化粧料吸入孔(４１)の外側には前記マイクロポンプ(５０)のハウジングキャップ(５３)の下端が挿入されるように円周形に形成された第１装着溝(４２)と；
前記第１装着溝(４２)よりもっと大きい直径で形成され、前記マイクロポンプ(５０)の円筒状スプリング(５５)が挿入して安着されるように形成された第２装着溝(４３)と；
前記内容器の蓋(４０)の外周縁の上面に上側に延長して形成された上部延長リング状突起(４４)と；
前記上部延長リング状突起(４４)の上側には環状固定部材(９０)の下部ガイド溝(９１)に結合されるように形成された締結突起(４５)と；
前記内容器の蓋(４０)の外周縁の下部側面には前記内容器(３０)と結合されるように形成された結合部(４６)と；
前記結合部(４６)の内側には下部に突出して設けられた下部延長リング状突起(４７)からなることを特徴とする請求項１に記載のマイクロポンプ容器。
【請求項３】
前記第１ピストン(１００)は、その中央に形成されて前記内容器の蓋(４０)の吸入孔(４１)の外周縁に挿入される中央孔(１０１)と；
前記中央孔(１０１)よりもっと大きい直径で形成されて前記内容器の蓋(４０)における第２装着溝(４３)の外周壁と下端壁を包み込む円筒孔(１０２)と；
その上面に前記第２ピストン(１１０)の上面に突出して設けられた円周形突起１１２が挿入して結合される円周形孔(１０３)と；
その外周縁に下側に突出して設けられて前記内容器の蓋(４０)の下部延長リング状突起(４７)の内周縁に密着される密着板(１０４)からなることを特徴とする請求項２に記載のマイクロポンプ容器。
【請求項４】
前記第２ピストン(１１０)は、リング円板型部材として、中央に前記第１ピストン(１００)の円筒孔(１０２)の外周壁に密着される中央密着孔(１１３)と；
その外周面に形成されて前記第１ピストン(１００)の密着板(１０４)の内周面に密着される外周密着板(１１４)からなることを特徴とする請求項２または３に記載のマイクロポンプ容器。
【発明の詳細な説明】
【技術分野】
【０００１】
本発明は、マイクロポンプ容器に係り、より詳しくは、化粧料を使うために外容器の蓋を開けて排出板を押すと同時に化粧料を外部へ吐出させるポンプを構成する部品数が少なくて、その製作費用が節減されるようにしたマイクロポンプ容器に関する。
【背景技術】
【０００２】
一般に、コンパクト容器は所定の形状を有する容器の内部に固形のパウダー（Ｐｏｗｄｅｒ）を収納し、使用する時、内部に収容された塗布具であるパフ（Ｐｕｆｆ）を利用してパウダーをつけて顔に塗るようになっている。
【０００３】
しかし、コンパクトで固形のパウダーを使う場合は、使用中に固形のパウダーが飛び散り、顔に塗布する時に密着感が多少落ちる短所がある。
【０００４】
したがって、このような短所を乗り越えるために固形のパウダーを揮発性物質と混合したゲル（Ｇｅｌ）状のコンパクトが開発され、その便利さによって使用頻度が段々増えつつある。
【０００５】
しかし、このようなゲル状のコンパクトは、外部に露出される場合に揮発性物質が大気中に飛び散ってパウダーが固くなったり、亀裂が発生して割れる問題点がある。
【０００６】
このようにゲル状のコンパクトが揮発性物質が外部へ飛び散って固くならないよう、内部空間が外部と密閉されるように備えられなければならない。
【０００７】
そして、内部に設けられたポンプを構成する部品数が多いため製作費用がかなり多く要される問題点もある。
【０００８】
そして、また、容器内に入っている化粧品の内容物を払う部材がないので、いくらポンピングするとしても化粧品の内容物が完全に無くならないため、残り化粧品の内容物を捨てる問題点もある。
【発明の概要】
【発明が解決しようとする課題】
【０００９】
本発明は、前記従来技術の要望に応じるために発明されたものであって、化粧品の内容物を使うために外容器の蓋を開けて排出板を押すと同時に、化粧品の内容物を外部へ吐出させるポンプを構成する部品数が少なくて製作費用が節減されるようにし、化粧品の内容物を完全に消尽させるようにしたマイクロポンプ容器を提供することにある。
【課題を解決するための手段】
【００１０】
本発明の第１実施例によるマイクロポンプ容器は、一側にボタン１１が形成された外容器１０と、前記外容器１０の一側にヒンジ結合されて開閉される外容器の蓋２０からなるマイクロポンプ容器において、前記外容器１０の内側に装着される内容器３０と；前記内容器３０の上部に結合され、中央に化粧料吸入孔４１が形成された内容器の蓋４０と；前記内容器の蓋４０の上部に取り付けられて化粧品の内容物をポンピングするマイクロポンプ５０と；前記マイクロポンプ５０を挟んで前記内容器の蓋４０の上面に挿入して安着され、前記マイクロポンプ５０から排出される化粧品の内容物を上面に排出して収容させる円板状の排出板６０と；前記排出板６０の上面の中央溝６１に安着されて上面に放射状溝７１が形成された円板形部材７０と；前記排出板６０の上面全体をカバーするようになった円板状のフィルムとして、前記円板形部材７０の放射状溝７１と一致するように複数個形成された化粧料吐出孔８１を有する排出フィルム８０と；前記排出フィルム８０の縁を前記排出板６０に固定し、使用者がパフＰで接触できるように上部が外部へ露出された環状固定部材９０と；前記内容器の蓋４０の下面に挿入される円板状の部材として、前記内容器の蓋４０の内周縁に密着されて前記外容器１０内の化粧品の内容物を下部に押し出す第１ピストン１００と；前記第１ピストン１００の下部に挿入されて外容器１０内の化粧品の内容物を下部に押し出して消尽させる第２ピストン１１０からなることを特徴とする。
【発明の効果】
【００１１】
本発明のマイクロポンプ容器によると、内容器の蓋の下部、つまり、化粧品の内容物の上面に第１及び第２ピストンを設置して構成することで、マイクロポンプの作動によって化粧品の内容物をポンピングして使う時、第１及び第２ピストンが下降して化粧品の内容物を全部消尽させることで使いかけの化粧品の内容物を捨てないようにする効果を持っている。
【図面の簡単な説明】
【００１２】
【図１】本発明のマイクロポンプ容器を図示した分解斜視図。
【図２】本発明のマイクロポンプ容器の断面を切った分解斜視図。
【図３】本発明のマイクロポンプ容器を図示した組み立て断面図。
【図４】本発明のマイクロポンプ容器の第１ピストンが作動する時の断面図。
【図５】本発明のマイクロポンプ容器の第２ピストンが作動する時の断面図。
【発明を実施するための形態】
【００１３】
以下、本発明の好ましい実施例を添付の図面を参照して当該分野における通常の知識を有する者が容易に実施できるように説明する。添付された図面の構成に表記された図面番号は、他の図面でも同一な構成を表記する時、できるだけ同一な図面番号を付していることに留意しなければならない。また、本発明を説明するにあたり、関連公知の機能または公知の構成に対する具体的な説明が本発明の要旨を不必要に曖昧にすることがあると判断される場合は、その詳細な説明を省略する。そして、図面に示されたある特徴は説明しやすくするために拡大、縮小または単純化され、図面及びその構成要素が必ず適切な割合で図示されていることではない。しかし、当業者であればこのような詳細な事項を容易に理解することができる。
【００１４】
「第１」、「第２」などのように序数を含む用語は様々な構成要素を説明するために用いられてもよいが、前記構成要素は前記用語によって限定されない。前記用語は一つの構成要素を別の構成要素と区別する目的のみに使われる。例えば、本発明の権利範囲を脱しないまま第１構成要素は第２構成要素と命名されることができるし、同様に第２構成要素も第１構成要素と命名されることができる。「及び/または」という用語は複数記載された関連項目の組み合わせまたは複数記載された関連項目のうちの一項目を含む。
【００１５】
また、「全面」、「後面」、「上面」、「下面」などのように、図面で見られるものを基準にして記された相対的な用語は、「第１」、「第２」などのような序数で取り替えられてもよい。
【００１６】
「第１」、「第２」などの序数において、その順は言及された順であるか、又は任意に決まったことで、その順は必要に応じて任意に変更されてもよい。
【００１７】
本発明で使用した用語は、単に特定実施例を説明するために使われたもので、本発明を限定しようとする意図ではない。単数の表現は、文脈上明白に違う意味で用いられない限り、複数の表現を含む。本出願において、「含む」または「持つ」などの用語は、明細書上に記載された特徴、数字、段階、動作、構成要素、部品またはこれらを組み合わせたのが存在することを指定するものであって、一つまたはそれ以上の別の特徴や数字、段階、動作、構成要素、部品またはこれらを組み合わせたものなどの存在または付加可能性を予め排除しないものとして理解されなければならない。
【００１８】
異なる意味で定義されない限り、技術的又は科学的用語を含んでここで使われる全ての用語は、本発明が属する技術分野における通常の知識を有する者にとって一般的に理解されるものと同一な意味を持っている。一般的に使われる辞書に定義されているような用語は関連技術の文脈上有する意味と一致する意味を持つものとして解釈されなければならず、本出願で明白に定義しない限り、理想的又は過度に形式的な意味で解釈されない。
【００１９】
以下、本発明の好ましい実施例を添付の図面を参照して詳しく説明する。同時に、本発明を説明するにあたり、関連公知の構成または機能に対する具体的な説明が本発明の要旨を曖昧にすることがあると判断される場合は、その詳細な説明を省略する。
【００２０】
［実施例］
図１は本発明のマイクロポンプ容器を図示した分解斜視図で、図２は本発明のマイクロポンプ容器の断面を切った分解斜視図で、図３は本発明のマイクロポンプ容器を図示した組み立て断面図で、図４は本発明のマイクロポンプ容器の第１ピストンが作動する時の断面図で、図５は本発明のマイクロポンプ容器の第２ピストンが作動する時の断面図である。
【００２１】
本発明の第１実施例によるマイクロポンプ容器は、図１ないしず５に図示されたように、一側にボタン１１が形成された外容器１０と、前記外容器１０の一側にヒンジ結合されて開閉される外容器の蓋２０からなるマイクロポンプ容器において、前記外容器１０の内側に装着される内容器３０と；前記内容器３０の上部に結合され、中央に化粧料吸入孔４１が形成された内容器の蓋４０と；前記内容器の蓋４０の上部に取り付けられて化粧品の内容物をポンピングするマイクロポンプ５０と；前記マイクロポンプ５０を挟んで前記内容器の蓋４０の上面に挿入して安着され、前記マイクロポンプ５０から排出される化粧品の内容物を上面に排出して収容させる円板状の排出板６０と；前記排出板６０の上面の中央溝６１に安着されて上面に放射状溝７１が形成された円板形部材７０と；前記排出板６０の上面全体をカバーするようになった円板状のフィルムとして、前記円板形部材７０の放射状溝７１と一致するように複数個形成された化粧料吐出孔８１を有する排出フィルム８０と；前記排出フィルム８０の縁を前記排出板６０に固定し、使用者がパフＰで接触できるように上部が外部へ露出された環状固定部材９０と；前記内容器の蓋４０の下面に挿入される円板状の部材として、前記内容器の蓋４０の内周縁に密着されて前記外容器１０内の化粧品の内容物を下部に押し出す第１ピストン１００と；前記第１ピストン１００の下部に挿入されて外容器１０内の化粧品の内容物を下部に押し出して消尽させる第２ピストン１１０からなる。
【００２２】
前記外容器１０の一側にはボタン１１が形成されるが、前記ボタン１１の上側に傾くように形成され、使用者の押し動作によって前記外容器の蓋２０の一側に形成されたホック２１を押して開かれるようにする傾斜突起１１１が一体と形成されている。
【００２３】
前記外容器の蓋２０は外容器１０を開閉する役目をし、一側には前記ボタン１１の傾斜突起１１１に対応される突起形状のホック２１が形成されている。
【００２４】
また、前記外容器の蓋２０の内側には鏡２２が備えられ、使用者が容易に化粧できるようにする。
【００２５】
前記円板状の排出板６０の下部面には、前記マイクロポンプ５０が装着されるように内径が小さいものから第１ないし第３円周形溝６２、６３、６４が一定間隔離隔されて順に形成されている。
【００２６】
前記マイクロポンプ５０は、前記排出板６０の第１円周形溝６２に挿入される部材として、上部は開口され、下部は閉鎖されて中央に切り込み５１ａが形成された円筒状のゴムシールキャップ５１と；前記排出板６０の第１円周形溝６２と第２円周形溝６３の間に上部開口が挿入される円筒状の部材として、下部内周縁にチェック弁５２が挿入されているハウジングキャップ５３と；前記ゴムシールキャップ５１の下部外周縁と前記排出板６０の第１円周形溝６２の内周縁の間に上部開口がはみ込まれる円筒状の部材として、下部面５４ａの中央部周辺に複数の孔５４ｂが形成され、前記下部面５４ａの外側に延長形成されて前記ハウジングキャップ５３の内周縁に密着されるように密着面５４ｃが形成され、前記下部面５４ａの中央に突出して設けられた突出部に前後方向に突起溝５４ｄが形成されたピストン形部材５４と；前記排出板６０の下面と内容器の蓋４０の上面の間に設置された円筒状スプリング５５からなる。
【００２７】
前記突起溝５４ｄと前記ゴムシールキャップ５１が接触される時、開いた切り込み５１ａを通して化粧品の内容物が排出されるように前記突起溝５４ｄの中央に切り込み５１ａが位置する。
【００２８】
前記チェック弁５２は、中央に形成されて外容器１０の底の中央に突出して設置された棒１２によってずり上がるようになった中央閉鎖部５２ａと、前記中央閉鎖部５２ａの外周縁とチェック弁５２の内周縁をフレキシブルに繋ぐ複数のＳ字連結部材５２ｂからなる。
【００２９】
前記内容器の蓋４０の化粧料吸入孔４１の外側には前記マイクロポンプ５０のハウジングキャップ５３の下端が挿入される第１装着溝４２が円周形に形成され、前記第１装着溝４２よりもっと大きい直径で形成されて前記マイクロポンプ５０の円筒状スプリング５５が挿入して安着される第２装着溝４３が形成されている。
【００３０】
前記内容器の蓋４０の外周縁の上面には上部延長リング状突起４４が上側に延長して形成され、前記上部延長リング状突起４４の上側には環状固定部材９０の下部ガイド溝９１に結合される締結突起４５が形成されている。
【００３１】
前記内容器の蓋４０の外周縁の下部側面には、前記内容器３０と結合される結合部４６が形成されていて、前記結合部４６の内側には下部へと突出して設けられた下部延長リング状突起４７が形成されている。
【００３２】
前記第１ピストン１００は、その中央に形成されて前記内容器の蓋４０の吸入孔４１の外周縁に挿入される中央孔１０１と、前記中央孔１０１よりもっと大きい直径で形成され、前記内容器の蓋４０の第２装着溝４３の外周縁と下端面を包む円筒溝１０２と、その上面に前記第２ピストン１１０の上面に突出して設けられた円周形突起１１２が挿入して結合される円周形孔１０３と、その外周縁に下側へと突出して設けられて前記内容器の蓋４０の下部延長リング状突起４７の内周縁に密着される密着板１０４からなる。
【００３３】
前記第２ピストン１１０は、リング円板型部材として、中央に前記第１ピストン１００の円筒溝１０２の外周縁に密着される中央密着孔１１３と、その外周縁に形成されて前記第１ピストン１００の密着板１０４の内周縁に密着される外周密着板１１４からなる。
【００３４】
前記のように構成された本発明のマイクロポンプ容器の組み立て方法を説明すれば次のとおりである。
【００３５】
本発明のマイクロポンプ容器を組み立てるためには、先ず、外容器１０の内部に内容器３０をはみ込んで結合した後、化粧品の内容物を内容器３０内部に注入する。
【００３６】
次いで、内容器の蓋４０を前記内容器３０の上部に固定して設置することで内容器３０を密閉する。
【００３７】
前記内容器の蓋４０の下部には、第１及び第２ピストン１００、１１０を挿入して設置する。
【００３８】
以後、前記内容器の蓋４０と排出板６０の間にマイクロポンプ５０を設ける。これを詳しく説明すると、先ず、排出板６０の第１円周形溝６２内に、下面に切り込み５１ａが形成されたゴムシールキャップ５１を挿入して設置し、ゴムシールキャップ５１の下端の外周縁にピストン形部材５４の上部開口を挿入し、下端の密着面５４ｃが第１円周形溝６２と第２円周形溝６３の間に挿入されているハウジングキャップ５３の内周縁に密着されるように挿入して結合する。
【００３９】
マイクロポンプ容器を使うためには、先ず、容器の側面にあるボタン１１を押圧すれば、前記外容器の蓋２０のホック２１を押し上げて外容器の蓋２０が開くようにする。
【００４０】
このように外容器の蓋２０を開いた状態でパフＰを利用して前記排出板６０を押圧する。
【００４１】
前記排出板６０を押圧すれば円筒状スプリング５５が圧縮されてハウジングキャップ５３を下降させ、外容器１０の底中央に突出して設けられた棒１２がチェック弁５２の中央閉鎖部５２ａを上方に上げ、複数のＳ字連結部材５２ｂの合間の空間を通して化粧品の内容物がハウジングキャップ５３内へ流入され、この流入された化粧品の内容物はピストン形部材５４の複数の孔５４ｂを通して排出され、ゴムシールキャップ５１は排出板６０の下降によってピストン形部材５４の突起溝５４ｄと接触しながら、切り込み５１ａが開いてこれを通じて化粧品の内容物が排出板６０の上面に排出される。
【００４２】
前記外容器１０内の化粧品の内容物がマイクロポンプ５０を通して排出されながら、その体積が小さくなって内容器の蓋４０の下端にある第１ピストン１００が第２ピストン１１０と一緒に下降し（図４）、絶え間なく化粧品の内容物が排出されれば、第２ピストン１１０も下降して化粧品の内容物を消尽させる。すなわち、第１ピストン１００と第２ピストン１１０がない時は化粧品の内容物が完全に消尽されないが、第１及び第２ピストン１００、１１０が内蔵され、外容器１０の内部が真空状態にあってからその体積が小くなって、第１及び第２ピストン１００、１１０が下降しながら化粧品の内容物を完全に消尽させる。
【００４３】
以上のように、本発明の詳細な説明で具体的な実施例について説明したが、本発明の技術が当業者によって容易に変形して実施される可能性が自明であり、このような変形された実施例は、本発明の特許請求範囲に記載された技術思想に含まれると言える。
【符号の説明】
【００４４】
１０：外容器                 
１２：棒
２０：外容器の蓋            
２１：ホック
２２：鏡                   
３０：内容器
３２：第１密閉リング             
３３：第２密閉リング
３４：円周形結合突起        
４０：内容器の蓋
５０：マイクロポンプ           
５１：ゴムシールキャップ
５１ａ：切り込み                    
５２：チェック弁
５２ａ：中央閉鎖部              
５２ｂ：複数のＳ字連結部材
５３：ハウジングキャップ                 
５４：ピストン形部材
５４ａ：下部面                  
５４ｂ：複数の孔
５４ｃ：密着面                   
５４ｄ：突起溝
５５：円筒状スプリング             
６０：排出板
６１：上面中央溝                
７０：円板形部材
７１：放射状溝                
８０：排出フィルム
８１：化粧料吐出孔              
９０：環状固定部材
１００：第１ピストン                 
１０１：中央孔
１０２：円筒溝                    
１０３：円周形孔
１０４：密着板                    
１１０：第２ピストン
１１２：円周形突起                
１１３：中央密着孔
１１４：外周密着板
【図１】
0006868118.tif 000002
【図２】
0006868118.tif 000003
【図３】
0006868118.tif 000004
【図４】
0006868118.tif 000005
【図５】
0006868118.tif 000006